(57)【要約】【課題】分割した点灯領域の端部ブロックの発光光量を制御することにより、繋ぎ目位置の光量ムラをなくするデジタル書き込み装置を提供すること。【解決手段】ＬＥＤアレイユニット１〜３（５０３−１〜３）は、感光体の軸線方向に千鳥状に３本配列されている。ここで、画像が重ならないように、ＬＥＤアレイ５０３＿１〜５０３＿３のドット位置を制御して繋ぎ目部ａを１ドット未満の重なりにしている。ＬＥＤアレイユニット２、５０３−２の左右端部の繋ぎ目ドット部ｂ，ｃの位置を各々点灯ブロック１の右端部、点灯ブロックｎ（ブロック４０）の左端部に位置させるように制御する。点灯ブロックは、点灯領域をブロック１〜ｎ（ブロック４０）に分割されているため、ＬＥＤアレイユニット２　５０３−２の画像有効範囲の左右、すなわち先頭ドットｂと後端ドットｃのみを単独で点灯ブロック１ｏｒｎ（ブロック４０）に配置することになる。【選択図】　図３
2004017503.tif 000002
【特許請求の範囲】
【請求項１】
複数個の発光素子が一方向に列設された発光素子アレイおよび前記発光素子アレイの光を感光体に結像させる結像手段とからなる発光素子アレイユニットと、この発光素子アレイユニットを感光体の軸線方向に複数個配列し、転送されてきた画像データを発光素子アレイユニット毎に分割して転送する画像データ転送制御回路手段とを備えたデジタル発光素子書き込み装置において、
各発光素子アレイユニット内の列設された発光素子アレイの一度の点灯領域を複数に分割し、分割した領域ごとに発光光量を制御する発光光量制御手段を備えたことを特徴とするデジタル発光素子書き込み装置。
【請求項２】
前記画像データ転送制御回路手段の分割位置を発光素子アレイユニットの複数に分割された点灯領域の分割位置の１ドット隣になるように制御することを特徴とする請求項１記載のデジタル発光素子書き込み装置。
【請求項３】
前記発光光量制御手段による分割した領域ごとの発光光量の制御は、電流制御または点灯時間制御であることを特徴とする請求項１または請求項２記載のデジタル発光素子書き込み装置。
【発明の詳細な説明】
【０００１】
【発明の属する技術分野】
本発明は、ＬＥＤアレイによる光ビームで印字情報を感光体に書き込むことによりデジタル画像を形成するデジタル発光素子書き込み装置に関する。
【０００２】
【従来の技術】
一般に、画像形成装置で用いる画像書込装置は、感光体に光を照射して潜像を書き込むものであるが、この画像書込装置には、レ−ザ−光によるＬＤ走査方式やＬＥＤ発光素子をアレイ状にした発光素子アレイでの方式が知られている。
この発光素子アレイ方式は、ＬＤ走査方式のポリゴンミラーのような可動部がなく高信頼性であり、またＡ０幅などの大判サイズのプリント出力を必要とする広幅機の場合には、主走査方向に光ビームを走査させるための光学的空間が不要である。そのため、ＬＥＤアレイとセルフォックレンズ等の光学素子を一体化したＬＥＤヘッドを配置すればよく、装置全体を小型化することができるため、ＬＤ走査方式から置き代わってきている。
この発光素子アレイユニットとして、画像書き込み幅以上の長尺のアレイユニットを用いなければならないが、使用するＬＥＤ素子ドライバＩＣが増えて生産の歩留まりが低下し、またユニットが長くなり、書き込みビーム配列精度を維持するために部品精度を良くするなど部品単価も小型のプリンタ・複写機の物に較べて非常に高価なものとなってしまう。さらに、この長尺発光素子アレイユニットのうちの１ドットでも故障するとユニットごと交換しなければならず、この観点からも高価なのもである。
【０００３】
この問題を解決するために、価格の安い小型のプリンタ・複写機用の発光素子アレイユニットを複数個主走査方向に配置し、大型機用にした部材が提供された。例えば、特開平１０−８６４３８号公報に記載の発明では、ＬＥＤヘッド群を、感光体の軸線方向に沿って配列した複数個のＬＥＤヘッドによって構成し、感光体の軸線方向の最大感光幅を各ＬＥＤヘッドによって分割露光可能にする技術が開示されている。また、感光体の軸線方向に沿って千鳥状に配列した複数個のＬＥＤヘッドによる露光可能領域の端部を感光体の軸線方向で重複させることもでき、さらに、ＬＥＤヘッドを３個以上の奇数個によって構成し、その各ＬＥＤヘッド群の数が感光体の回動方向の下流側より上流側の方が多くなるように千鳥状に配列することもできるようになっている。
また、複数からなる発光素子アレイユニットごとに分割して画像デ−タを転送し、主走査方向分割位置（繋ぎ目位置）の発光素子の光量を調整する制御方法が提案されている。具体的な制御は繋ぎ目位置の発光素子の発光光量制御、すなわち１ドットの発光が５ビット（３２値）と多値であり３２段階の光量階調を可変することにより繋ぎ目位置での白スジ・黒スジの光量ムラ（繋ぎ目位置の組付け精度から発生する発光素子のピッチムラ）が無くなるように調整制御している。
【０００４】
【発明が解決しようとする課題】
しかし、特開平１０−８６４３８号公報には、Ａ０幅にするにはＡ３幅用のＬＥＤヘッドを主走査方向に千鳥状に３本並べて全体でＡ０幅にして分割露光すればよいが、具体的な制御方法が示されていなかった。
また、上記の技術は発光素子が多値の場合に有効であるが、２値制御の発光素子の場合にはドットごとの階調制御を利用することが出来なかった。
説明のため、図７、図８を参照すると、図７の１ドット間隔画像の場合、発光素子アレイユニット５０３−１と５０３−２の重なった繋ぎ目ドットａが２値デ−タ１だとドットｂとの距離が狭くドットｃと干渉し光量が増し、黒スジが発生してしまう。そこで、図８のようにドットａを２値デ−タ０にすると、光量が減少し今度は白スジが発生してしまう。
このように従来の技術は１ドットの階調が多値であったので繋ぎ目部の光量制御を行い容易に白スジ・黒スジの光量ムラを補正出来たが、１ドットが２値（０ｏｒ１）の場合、繋ぎ目光量補正を制御して繋ぎ目ずれを補正することは出来なかった。
【０００５】
そこで、本発明の第１の目的は、分割した点灯領域の端部ブロックの発光光量を制御することにより、繋ぎ目位置の光量ムラをなくするデジタル発光素子書き込み装置を提供することである。
本発明の第２の目的は、画像データ転送制御回路手段の分割位置を（２値の）発光素子アレイユニットの複数に分割された点灯領域の分割位置の１ドット隣になるように制御することにより、繋ぎ目位置の１ドットの発光光量を制御し光量ムラをなくするようにしたデジタル発光素子書き込み装置を提供することである。
本発明の第３の目的は、分割した領域ごとの発光光量の制御手段をＬＥＤ素子の印加電流制御（ＰＭ）または点灯時間制御（ＰＷＭ）で行うことにより繋ぎ目位置の光量ムラをなくするデジタル発光素子書き込み装置を提供することである。
【０００６】
【課題を解決するための手段】
請求項１記載の発明では、複数個の発光素子が一方向に列設された発光素子アレイおよび前記発光素子アレイの光を感光体に結像させる結像手段とからなる発光素子アレイユニットと、この発光素子アレイユニットを感光体の軸線方向に複数個配列し、転送されてきた画像データを発光素子アレイユニット毎に分割して転送する画像データ転送制御回路手段とを備えたデジタル発光素子書き込み装置において、各発光素子アレイユニット内の列設された発光素子アレイの一度の点灯領域を複数に分割し、分割した領域ごとに発光光量を制御する発光光量制御手段を備えたことにより前記第１の目的を達成する。
【０００７】
請求項２記載の発明では、請求項１記載の発明において、前記画像データ転送制御回路手段の分割位置を発光素子アレイユニットの複数に分割された点灯領域の分割位置の１ドット隣になるように制御することにより前記第２の目的を達成する。
請求項３記載の発明では、請求項１または請求項２記載の発明において、前記発光光量制御手段による分割した領域ごとの発光光量の制御は、電流制御または点灯時間制御であることにより前記第３の目的を達成する。
【０００８】
【発明の実施の形態】
以下、本発明の好適な実施の形態について図１ないし図６を参照して詳細に説明する。
図１は、発明の実施の形態に係る複写機の基本構成ブロック図、図２は、この複写機の概略を示した図である。
この図１に示すように、複写機は、原稿を読み取る読取手段としての原稿読取部１００、読み取られた原稿情報を記憶する記憶手段としての画像情報記憶部３００、このシステム制御装置にキー入力を行う操作手段としての操作部４００、記憶された情報を転写紙に複写するための書込部５００で構成されている。
原稿読取部１００は、センサ１０１、画像増幅回路１０２、Ａ／Ｄ（アナログ／デジタル）変換回路１０３、シェーデング補正回路１０４、画像処理回路１０５、同期制御回路１０６、読取制御回路１０７、スキャナ駆動装置１０８を備えている。
画像記憶部３００は、画像メモリ部３０１、一連のプロセスを実行制御するシステム制御装置３０２および駆動制御回路５０４を備えている。
書込部５００には、ＬＥＤ書込制御回路５０２、プリンタ駆動装置５０５が設けられている。
操作部４００は、操作駆動回路４０１および操作パネル４０２よりなる。
【０００９】
次に、図１および図２を参照して原稿読取部１００の構成を説明する。
まず、オペレータが原稿を挿入口から挿入すると、原稿は、ローラ１の回転に応じて密着センサ２と白色ロ−ラ３との間を搬送される。この搬送中の原稿は、密着センサ２に取り付いているＬＥＤにより照射され、その反射光は密着センサ２に結像され、原稿画像情報が読み取られる。
そして、図１のセンサ１０１上に結像した原稿画像は電気信号に変換され、このアナログ信号は、画像増幅回路１０２で増幅される。Ａ／Ｄ変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力され、シェーデング補正回路１０４により、光量ムラ、コンタクトガラスの汚れ、センサの感度ムラ等による歪を補正する。この補正されたデジタル画像情報は、画像処理回路１０５でデジタル記録画像情報に変換された後、画像メモリ部３０１に書き込まれる。
【００１０】
次に、画像メモリ部３０１に書き込まれた画像信号が転写紙に形成するための一連のプロセスを制御しているシステム制御装置３０２と書込部５００の構成について説明する。
システム制御装置３０２は、全体制御を行う機能があり、読取制御回路１０７、同期制御回路１０６、画像メモリ部３０１、ＬＥＤ書込制御回路５０２での画像デ−タ転送および駆動制御回路５０４によりスキャナ駆動装置１０８、プリンタ駆動装置５０５を介してモ−タ等を駆動させ読み取り原稿および転写紙の搬送を円滑に制御している。
書込部５００では、画像メモリ部３０１から同期信号クロックにより転送された画像信号をＬＥＤ書込制御回路５０２で１画素単位ビット変換し、ＬＰＨ５０３で赤外光に変換出力される。
【００１１】
続いて、図２を参照して記録紙に至るまでのプロセスを説明する。
帯電装置４は、感光体ドラム５を−１２００Ｖに一様に帯電させるグリッド付きのスコロトロンチャージャと呼ばれるものである。発光素子アレイユニット６（ＬＥＤヘッド）は、ＬＥＤをアレイ状に並べ、ＳＬＡ（セルフォックレンズアレー）を介して感光体ドラム５に照射するようになっている。ＬＥＤヘッド６は、図１のＬＰＨ５０３に相当する。感光体ドラム５にデジタル画像情報に基づいたＬＥＤ光が照射されると、光導電現象で感光体表面の電荷が感光体ドラム５のアースに流れて消滅する。
ここで原稿濃度の淡い部分は、ＬＥＤを発光させないようにし、原稿濃度の濃い部分は、ＬＥＤを発光させる。これにより感光体ドラム５のレーザー光非照射部は、画像の濃淡に対応した静電潜像が形成される。この静電潜像を現像ユニット７によって現像する。現像ユニット７内のトナーは撹拌により負に帯電されておりバイアスは−７００Ｖ印加されているため、レ−ザ−光照射部分だけにトナーが付着する。
【００１２】
一方転写紙は、３つの給紙台及び手差しから選択し、レジストローラ８で所定のタイミングで感光体ドラム５の下部を通過し、この時に転写チャージャ９によりトナー像を記録紙上に転写させる。続いて、記録紙は感光体ドラム５から分離チャージャ１０により分離され、搬送タンク１１により搬送されて定着ユニット１２に送られる。ここで、トナーが記録紙に定着される。
その後、トナーが定着した記録紙は排紙トレイ１３により機外の前後に送られ排紙される。
【００１３】
次に、画像メモリ部３０１から書込部５００への画像信号の手順を説明する。
画像信号の流れは、画像メモリ部３０１からイーブン（Ｅ）、オッド（Ｏ）の２値画像データが２ラインパラレルの２５ＭＨｚでＬＥＤ書込制御回路５０２に送られてくる。２ラインで送られてきた画像信号は、ＬＥＤ書込制御回路５０２内部で一旦、１ラインに合成した後、各々のＬＥＤ当たり２分割で全体として６分割され、ＬＥＤヘッド５０３＿１、５０３＿２、５０３＿３へ９．５ＭＨＺで転送される。
【００１４】
次に、図３を参照してＬＥＤ書込制御回路５０２の各ブロックの説明を行う。
まず、画像データ入力部５１２について説明する。
２値画像信号イーブン（Ｅ）、オッド（Ｏ）及びタイミング信号は、画像メモリ部３０１より低電圧作動信号素子ＬＶＤＳドライバーを使用しパラレルからシリアルに変換され、ＬＥＤ書込制御回路５０２に２５ＭＨｚで送られてくるため、ＬＥＤ書込制御回路５０２でもＬＶＤＳレシーバ５１２を使用し、シリアル信号からパラレル信号に変換し、ＰＫＤＥ・ＰＫＤＯ・ＸＰＣＬＫ・ＸＰＬＳＹＮＣ・ＸＰＬＧＡＴＥ・ＸＰＦＧＡＴＥ＿ＩＰＵとして第１ＩＣ５１０に入力する。
タイミング信号のＸＰＬＳＹＮＣとＸＰＦＧＡＴＥ＿ＩＰＵは第１ＩＣ５１０の内部クロックと同期させ、画像信号処理時間分遅らせ、ＲＬＳＹＮＣ、ＲＦＧＡＴＥとして第２ＩＣ５１１に入力される。
【００１５】
次に、画像データＲＡＭ部５１４Ａ＿１〜５１４Ａ＿６、５１４Ｂ＿１〜５１４Ｂ＿６について説明する。
第１ＩＣ５１０に入力された画像信号は、ＥＤ、ＯＤとしてＳＲＡＭアドレス信号ＡＡＤＲ（１０．．０）およびＢＡＤＲ（１０．．０）と共にＡ群ＳＲＡＭ６個（５１４Ａ＿１〜５１４Ａ＿６）、Ｂ群ＳＲＡＭ６個（５１４Ｂ＿１〜５１４Ｂ＿６）に２５ＭＨｚで出力される。
ＬＥＤヘッド５０３＿１〜５０３＿３は、総ｄｏｔ数２３０４０ｄｏｔ（Ａ３幅７６８０ｄｏｔ×３本）で画像信号転送が６分割（１本／２分割×３本）方式のため、Ａ３幅ＬＥＤヘッド１本の１分割分である３８４０ｄｏｔ（７６８０ｄｏｔ／２分割）毎に、Ａ群としてＳＲＡＭ１〜６、５１４Ａ＿１〜５１４Ａ＿６の６個を設け、２ｄｏｔ（ＥＤ：１ｂｉｔ、ＯＤ：１ｂｉｔ）分の画像データを２ｂｉｔとして１アドレスに割り当て、主走査１ライン分の画像信号を　Ａ群のＳＲＡＭ１、５１４Ａ＿１にＬＥＤヘッド１、５０３＿１の１分割目の画像信号、ＳＲＡＭ２、５１４Ａ＿２にＬＥＤヘッド１、５０３＿１の２分割目の画像信号、ＳＲＡＭ３、５１４Ａ＿３にＬＥＤヘッド２、５０３＿２の１分割目の画像信号、ＳＲＡＭ４、５１４Ａ４にＬＥＤヘッド２、５０３＿２の２分割目の画像信号、ＳＲＡＭ５、５１４Ａ＿５にＬＥＤヘッド３、５０３＿３の１分割目の画像信号、ＳＲＡＭ６、５１４Ａ＿６にＬＥＤヘッド３、５０３＿３の２分割目の画像信号を格納する。
【００１６】
２５ＭＨｚでＡ群ＳＲＡＭ６個（５１４Ａ＿１〜５１４Ａ＿６）に順次格納された画像信号は、４．７５ＭＨｚでＡ群ＳＲＡＭ６個（５１４Ａ＿１〜５１４Ａ＿６）から同時に読み出され、ＳＲＡＭ１、５１４Ａ＿１、ＳＲＡＭ２、５１４Ａ＿２から読み出されたＬＥＤヘッド１、５０３＿１の画像信号は、第２ＩＣ５１１へＳＯＤＡ１（１．．０）、ＳＯＤＡ２（１．．０）として入力され、ＳＲＡＭ３、５１４Ａ＿３、ＳＲＡＭ４、５１４Ａ＿４から読み出されたＬＥＤヘッド２、５０３＿２の画像信号およびＳＲＡＭ５、５１４Ａ＿５、ＳＲＡＭ６、５１４Ａ＿６から読み出されたＬＥＤヘッド３、５０３＿３の画像信号は、画像遅延メモリ部のフィールドメモリ、５１５＿１〜５１５＿３に送られる。
Ａ群ＳＲＡＭ６個（５１４Ａ＿１〜５１４Ａ＿６）が読み出しを行っている間に、次のラインをＢ群のＳＲＡＭ１〜６、５１４Ｂ＿１〜５１４Ｂ＿６の６個にＡ群と同様に画像信号を格納する。
このリード、ライト動作をＡ郡ＳＲＡＭ６個（５１４Ａ＿１〜５１４Ａ＿６）、Ｂ郡ＳＲＡＭ６個（５１４Ｂ＿１〜５１４Ｂ＿６）をトグル動作させることによりライン間の繋ぎを行う。
【００１７】
次に、画像データ遅延部（５１５＿１〜５１５＿３）について説明する。
（１）ＬＥＤヘッド２、５０３＿２の画像信号遅延部（５１５＿１，５１５＿２）、Ａ３幅ＬＥＤヘッド（５１５＿１〜５１５＿３）３本を千鳥配置しているため、ＬＥＤヘッド１、５０３＿１を基準とし、ＬＥＤヘッド２、５０３＿２はメカレイアウト上、副走査方向に７ｍｍずらして取り付けている。
このため、Ａ郡ＳＲＡＭ６個（５１４Ａ＿１〜５１４Ａ＿６）、Ｂ郡ＳＲＡＭ６個（５１４Ｂ＿１〜５１４Ｂ＿６）から出力された画像信号を同時に処理し、ＬＥＤヘッド２、５０３＿２へ転送するとＬＥＤヘッド１、５０３＿１に対してＬＥＤヘッド２、５０３＿２は副走査方向に７ｍｍ（７ｍｍ／４２．３μｍ（６００ｄｐｉの１ｄｏｔ）＝１６５ライン）ずれて印字してしまう。
【００１８】
このメカ的なずれを補正するため、４．７５ＭＨｚでＡ群ＳＲＡＭ３，４、５１４Ａ＿３〜５１４Ａ＿４、Ｂ群ＳＲＡＭ３，４、５１４Ｂ＿３〜５１４Ｂ＿４から出力されたＬＥＤヘッド２、５０３＿２の２分割分の画像信号（各２ｂｉｔ）を４ｂｉｔの画像信号としてフィールドメモリ５１５＿１に転送ライン順に４．７５ＭＨｚで１００ライン（固定）書き込む。次に書き込まれた順に４．７５ＭＨｚでフィールドメモリ５１５＿１より画像信号を読み出すと同時に、カスケード接続されたフィールドメモリ５１５＿２に６５ライン（可変）書き込む。
次に書き込まれた順に４．７５ＭＨｚでフィールドメモリ５１５＿２より画像信号を読み出し、ＦＭＯＤ２（３．．０）として、第２ＩＣ５１１へ入力する。これによりＬＥＤヘッド２、５０３＿２の画像信号は、１６５ライン（７ｍｍ）遅延された事になる。遅延させるライン数はＬＥＤヘッド２、５０３＿２の部品制度、組付のバラツキにより個々に異なるため、１ライン（４２．３μｍ）単位での制御が可能である。
【００１９】
（２）ＬＥＤヘッド３、５０３＿３画像データ遅延部
Ａ３幅ＬＥＤヘッド（５０３＿１〜５０３＿３）３本を千鳥配置している為、ＬＥＤヘッド１、５０３＿１を基準とし、ＬＥＤヘッド３、５０３＿３はメカレイアウト上、副走査方向に１ｍｍずらして取り付けている。このため、Ａ郡ＳＲＡＭ６個（５１４Ａ＿１〜５１４Ａ＿６）、Ｂ郡ＳＲＡＭ６個５１４Ｂ＿１〜５１４Ｂ＿６から出力された画像信号を同時に処理し、ＬＥＤヘッド３、５０３＿３へ転送するとＬＥＤヘッド１、５０３＿１に対してＬＥＤヘッド３、５０３＿３は副走査方向に１ｍｍ（７ｍｍ／４２．３μｍ（６００ｄｐｉに１ｄｏｔ）＝２３ライン）ずれて印字してしまう。
このメカ的なずれを補正するため、４．７５ＭＨｚでＡ群ＳＲＡＭ５，６、５１４Ａ＿５、５１４Ａ＿６、Ｂ群のＳＲＡＭ５，６、５１４Ｂ＿５、５１４Ｂ＿６から出力されたＬＥＤヘッド３、５０３＿３の２分割分の画像信号（各２ｂｉｔ）を、４ｂｉｔの画像信号としてフィールドメモリ５１５＿３に転送ライン順に４．７５ＭＨｚで２３ライン（可変）書き込む。次に書き込まれた順に４．７５ＭＨｚでフィールドメモリ５１５＿３より画像信号を読み出し、ＦＭＯＤ３（３．．０）として第２ＩＣ５１１へ入力する。これにより、ＬＥＤヘッド３、５０３＿３の画像信号は２３ライン（１ｍｍ）遅延された事になる。
遅延させるライン数はＬＥＤヘッド３、５０３＿３の部品制度、組付のバラツキにより個々に異なるため、１ライン（４２．３μｍ）単位での制御が可能である。
【００２０】
続いて、光量補正ＲＯＭ部５１６＿１、５１６＿２、５１６＿３について説明する。
ＬＥＤヘッド５０３＿１〜５０３＿３には各ＬＥＤ素子の光量バラツキを補正するためにＬＥＤ素子毎に５ｂｉｔの補正データ及びＬＥＤ素子１９２個おきにＬＥＤアレイチップ補正データの入った光量補正ＲＯＭ５１６＿１、５１６＿２、５１６＿３が有り、電源投入時、光量バラツキ補正データを各ＬＥＤヘッド５０３＿１〜５０３＿３に転送する。
まず、電源投入時およびＬＥＤ書き込み制御回路がリセットした後、最初にＬＥＤヘッド１　５０３＿１の光量補正ＲＯＭ５１６＿１より、第２ＩＣ５１１からのアドレス信号ＨＯＳＥＩＡＤＲ（１２．．０）により００００Ｈより順番に読み出され光量補正データはＨＯＳＥＩＤ（４．．０）として、第２ＩＣ５１１に入力される。
【００２１】
第２ＩＣ５１１内部にて、００００Ｈ（１ｄｏｔ目の補正データ）のデータをラッチし、０００１ｈ（３８４１ｄｏｔ目の補正データ）のデータと同時にＬＥＤヘッド１　５０３＿１へ９．５ＭＨｚで並列転送される。この処理を１Ｅ２８ｈ（７７２０個の補正データ）まで繰り返し、ＬＥＤヘッド１　５０３＿１の光量補正を行う。ＬＥＤヘッド１、５０３＿１の補正データ転送終了後、ＬＥＤヘッド１、５０３＿１と同様に順次、ＬＥＤヘッド２、５０３＿２、ＬＥＤヘッド３、５０３＿３の光量補正を行う。
転送した光量補正データは、ＬＥＤヘッド５０３＿１〜５０３＿３電源をＯＦＦしない限り、ＬＥＤヘッド５１３＿１〜５１３＿３内部にて補正データが保持される構成となっている。
【００２２】
次に、ダブルコピーＲＡＭ部５１３について説明する。
主走査方向最大４２０ｍｍ（Ａ２縦サイズ）までの画像を、最大８４１ｍｍ（Ａ０縦サイズ）の用紙に同じ画像を並べて２回印字し、コピー、プリンターの生産性を２倍にする機能を有する。
ダブルコピー時、画像メモリ部３０１からの２値画像信号（Ｅ、Ｏ）は、ＸＰＬＳＹＮＣは１／２以下でＬＥＤ書込制御回路５０２に転送されてくる。これを利用し１つのＸＰＬＳＹＮＣの中で、画像信号のダビング操作を行う構成としている。
画像データメモリ部３０１から２５ＭＨｚで送られてきた画像信号（Ｅ、Ｏ）は、第１ＩＣ５１０よりＥＤＷ、ＯＤＷとしてダブルコピーＳＲＡＭ部５１３にアドレス信号ＷＡＤＲ（１３．．０）と共に出力され、ダブルコピーＳＲＡＭ部５１３に画像データを格納すると同時に、画像データＲＡＭ部のＡ群ＳＲＡＭ６個（５１４Ａ＿１〜５１４Ａ＿６）に格納する。
【００２３】
画像メモリ部３０１からの画像信号格納終了と同時にダブルコピーＳＲＡＭ部５１３に格納した画像データを読み出し第１ＩＣ５１０に取り込み、画像メモリ部３０１から送られてきた画像データと同様に、Ａ群ＳＲＡＭ６個（５１４Ａ＿１〜５１４Ａ＿６）に追加読み込みさせる。これによりＡ群ＳＲＡＭ６個（５１４Ａ＿１〜５１４Ａ＿６）には、ダブルコピー画像主走査１ライン分が格納されたことになる。この動作をＡ群ＳＲＡＭ６個（５１４Ａ＿１〜５１４Ａ＿６）、Ｂ群ＳＲＡＭ６個（５１４Ｂ＿１〜５１４Ｂ＿６）をトグルさせることにより、ライン間の繋ぎを行う。
【００２４】
次に、画像データ出力部１９について説明する。
第２ＩＣ５１１に入力されたＬＥＤヘッド１、５０３＿１、ＬＥＤヘッド２、５０３＿２、ＬＥＤヘッド３、５０３＿３、の２ｄｏｔ単位の画像信号は、第２ＩＣ５１１内部にて１ライン合成される。ＬＥＤヘッド１　５０３＿１の１分割目の画像信号はＤ１Ａ、２分割目の画像信号はＤ１Ｂ、ＬＥＤヘッド２　５０３＿２の１分割目の画像信号はＤ２Ａ、２分割目の画像信号はＤ２Ｂ、ＬＥＤヘッド３　５０３＿３の１分割目の画像信号は、Ｄ３Ａ、２分割目の画像信号は、Ｄ３Ｂとして、第２ＩＣ５１１からタイミング信号と共に出力され、ドライバ５１９を介し、各ＬＥＤヘッド、５０３＿１〜５０３＿３に９．５ＭＨｚのスピードで転送される。
【００２５】
続いて、ダウンロード部５１７について説明する。
第１ＩＣ５１０、第２ＩＣ５１１は、ＳＲＡＭタイプのＣＰＬＤであるため、電源ＯＦＦにより、第１ＩＣ５１０、第２ＩＣ５１１内部の書き込み制御プログラムが全て消去される。そのため、電源ＯＮ時、ＥＰＲＯＭ５１７よりプログラムのダウンロード（コンフィギュレーション）が毎回行われる。
まず、電源が投入されると、第１ＩＣ５１０にＥＰＲＯＭ５１７よりＤＯＷＮＲＯＡＤ＿ＣＰＬＤ１としてプログラムをシリアルデータで転送し、ダウンロードを行う。第１ＩＣ５１０にダウンロードが終了すると同時に、第２ＩＣ５１１にＥＰＲＯＭ５１７よりＤＯＷＮＲＯＡＤ＿ＣＰＬＤ２としてプログラムをシリアルデータで転送し、プログラムがダウンロードされる。
【００２６】
次に、リセット回路部５１８について説明する。
電源ＯＮ時およびＬＥＤ書込制御回路５０２の供給電源の電圧降下によりリセットＩＣ５１８よりシステムリセット信号ＲＥＳＥＴ＿ＣＰＬＤ１およびＲＥＳＥＴ＿ＣＰＬＤ２が出力される。システムリセット信号ＲＥＳＥＴ＿ＣＰＬＤ１は第１ＩＣ５１０に、システムリセット信号ＲＥＳＥＴ＿ＣＰＬＤ２は、第２ＩＣ５１１にそれぞれ入力され、これを基に第１ＩＣ５１０および第２ＩＣ５１１内部のカウンターのリセットを行いシステムの初期化をする。
【００２７】
次に、システム制御装置３０２について説明する。
ＬＥＤ書込制御回路５０２への書き込み条件設定（ダブルコピーの有無、書き込み用紙サイズｅｔｃ．）はシステム制御装置３０２からの制御信号入力デ−タバスＬＤＡＴＡ（７．．０）、アドレスバスＬＡＤＲ（６．．０）、ラッチ信号ＶＤＢＣＳ、画像転送信号ＸＰＦＧＡＴＥ＿ＩＯＢ、ＸＰＳＧＡＴＥ、ＸＴＬＧＡＴＥを第１ＩＣ５１０、第２ＩＣ５１１に入力することにより、制御される。
【００２８】
ここで、図４および図５を参照して、ＬＥＤ発光素子アレイユニットの説明をする。
まず、図４に示すＬＥＤ発光素子アレイユニット１〜３（５０３＿１〜５０３＿３）の一つＬＥＤ発光素子アレイユニット１、５０３＿１について説明する。
ＬＥＤ発光素子アレイユニットは、内部でＬＥＤアレイ５９０＿１〜ＬＥＤアレイ５９０＿４０の１９２個単位で４０分割され、主走査方向に等間隔に配置されている（１９２＊４０＝７６８０ト゛ット）。
そして、各々のＬＥＤ素子にはドライバ１、５９１＿１〜ドライバ４０、５９１＿４０がそれぞれ接続されている。ドライバ５９１には各ドットに対応する画像データ及びＬＥＤをその時間だけ点灯させるストローブＳＴＢ信号、データ転送用のクロックＣＬＫ、データ転送を開始するためのセットＲＥＳＥＴ（ＬＯＡＤ）信号、光量補正と通常画像のデータの切換をするＳＥＬ信号が入力信号として接続されている。
【００２９】
また、チップサ−ミスタ５９９がヒ−トシンクまたは、プリント基板に取り付いていて、各々のドライバ５９１−１〜４０に接続してあり、温度検知しＬＥＤ発光電流を制御している。チップサ−ミスタ５９９からの電圧は、ＬＥＤ書込制御回路５０２にも入力され、温度をモニタしたり出来るようになり、さらにＬＥＤ書込制御回路５０２からもＶｒｅｆ信号により補正できる構成となっている。
【００３０】
次に、図５を参照してドライバＩＣ５９１＿１〜５９１＿４０の一つのドライバ５９１＿１の内部回路構成について説明する。
ＬＥＤ書込制御回路５０２から入力されるＳＥＬ、Ｄ１ＡｏｒＤ１Ｂ（画像デ−タ）、ＣＬＫ、ＲＥＳＥＴ信号は、ドライバＩＣ内５９１−１のバスクロック５９３に転送される。ＳＥＬ信号は、電源ＯＮ時のＬＥＤ光量補正デ−タ転送モ−ドと通常の画像データ転送モ−ドの切換信号であり、電源ＯＮの最初のみ光量補正デ−タをチップ補正デ−タラッチブロック５９６に転送され、画像データ時はデ−タバス５９４に転送される。
次に、デ−タバス５９４から出力されたデ−タはデータラッチ５９５にてデ−タをラッチさせ、定電流補正１９２ｂｉｔ定電流ドライバ５９７に転送する。定電流補正１９２ｂｉｔ定電流ドライバ５９７では、温度による補正、Ｖｒｅｆからの信号での補正、及び光量補正デ−タの補正を行い、ＬＥＤを発光させるためのＳＴＢ信号によりＬＥＤを発光させる。
【００３１】
ここで、以上説明してきた機械全体構成、ＬＥＤ書込制御回路５０２、ＬＥＤアレイユニット、内部ドライバにより構成される本実施例の具体的な制御について以下に記載する。
まず、図６を参照してＬＥＤアレイユニット１〜３（５０３＿１〜５０３＿３）のドット位置と点灯期間（ＳＴＢ：ストロ−ブ信号）について説明する。
ＬＥＤアレイユニット１〜３（５０３−１〜３）は、感光体の軸線方向に千鳥状に３本配列されている。ここで、画像が重ならないように、ＬＥＤアレイ５０３＿１〜５０３＿３のドット位置を制御して繋ぎ目部ａを１ドット未満の重なりにしている。
ＬＥＤアレイユニット２、５０３−２の左右端部の繋ぎ目ドット部ｂ，ｃの位置を各々点灯ブロック１の右端部、点灯ブロックｎ（ブロック４０）の左端部に位置させるように制御する。
点灯ブロックは、図４のＬＥＤアレイユニットの構成で説明したように、点灯領域をブロック１〜ｎ（ブロック４０）に分割されているため、ＬＥＤアレイユニット２　５０３−２の画像有効範囲の左右、すなわち先頭ドットｂと後端ドットｃのみを単独で点灯ブロック１ｏｒｎ（ブロック４０）に配置することになる。
【００３２】
次に、点灯ブロック１〜ｎ（ブロック４０）に配置されたドットの点灯期間についてのタイミングについて説明する。
点灯ブロック２〜ｎ−１は、複数のブロックをまとめて点灯させており（点灯ブロック２〜１０、点灯ブロック１１〜２０、点灯ブロック２１〜３０、点灯ブロック３１〜ｎ−１）、点灯ブロック１と点灯ブロックｎ（ブロック４０）は単独で点灯させている。
点灯期間（ＳＴＢ：ストロ−ブ信号）とは、主走査方向におけるＬＥＤ点灯している時間であり、主走査周期に対するＬＥＤの点灯時間をＤＵＴＹ比で表わし、ドラム感度、ＬＥＤ光量パワーの関係より適切なＤＵＴＹ比に設定されるが通常５％〜３０％であり、本実施例では１０％に設定されている。点灯ブロック２〜　ｎ−１（ブロック３９）では、ＤＵＴＹ１０％で点灯させて、左右両端点灯ブロック１または、点灯ブロックｎ（ブロック４０）を個別に点灯期間（ストロ−ブ信号）を可変制御出来るようにしている。
この制御により、繋ぎ目ドットｂの場合、２値画像デ−タ１の階調を設定０にすると（２値画像デ−タの階調は、０ｏｒ１である）画像では白スジが発生してしまうので、デ−タの階調性を変えても繋ぎ目部の光量ムラを制御することができない。そこで、ドットのＤＵＴＹ比を小さくすることで光量低下させる。
図のｄの場合は繋ぎ目の重なりが大きいのでＤＵＴＹ５％とし繋ぎ目部ｂの光量ムラを抑制し、繋ぎ目ドットｃにおいては繋ぎ目の重なりがあまり大きくないのでＤＵＴＹを７％とし、光量ムラを抑制している。
【００３３】
【発明の効果】
請求項１記載の発明では、ＬＥＤヘッドを複数個（千鳥状に）配列し、転送されてきた画像データをＬＥＤヘッドごとに分割して転送する画像データ転送制御するとともに、多値ＬＥＤヘッドでは繋ぎ目位置のＬＥＤ素子の明るさを制御をすることにより繋ぎ目位置の光量ムラをなくすることが容易に出来たが、２値ＬＥＤヘッドでは多値ＬＥＤヘッドの様に中間の光量にすることが出来ないので、同様の効果を得る為に分割した点灯領域の端部ブロックの発光光量を制御（ＬＥＤヘッドを点灯させる時に電源の負担を少なくするための理由で同時に点灯させないで、いくつかのブロックに分割して点灯させている）するようにしたので、２値ＬＥＤヘッドであっても繋ぎ目位置の光量ムラをなくするデジタル書き込み装置を提供することが可能となる。
【００３４】
請求項２記載の発明では、画像データ転送制御回路手段の分割位置を（２値の）発光素子アレイユニットの複数に分割された点灯領域の分割位置の１ドット隣になるように制御するようにしたので、繋ぎ目位置の１ドットの発光光量を自由に制御し光量ムラをなくすることが出来る。
【００３５】
請求項３記載の発明では、分割した領域ごとの発光光量の制御手段をＬＥＤ素子の印加電流制御（ＰＭ）または点灯時間制御（ＰＷＭ）で行うように制御したので、無段階に発光光量を制御し光量ムラをなくすることが出来る。
【図面の簡単な説明】
【図１】本発明の実施の形態に係る複写機の基本構成ブロック図である。
【図２】本発明の実施の形態に係る複写機の概略を示した図である。
【図３】ＬＥＤ書込制御回路の構成を示したブロック図である。
【図４】ＬＥＤ発光素子アレイユニットの構成を示したブロック図である。
【図５】ドライバの内部回路構成について説明した図である。
【図６】ＬＥＤアレイユニットのドット位置と点灯期間（ＳＴＢ：ストロ−ブ信号）について説明した図である。
【図７】繋ぎ目ドットが２値デ−タだと黒スジが発生することを説明する図である。
【図８】繋ぎ目ドットが２値デ−タ０だと、白スジが発生することを説明する図である。
【符号の説明】
５　　　感光体ドラム
８　　　レジストローラ
９　　　転写チャージャ
１０　　分離チャージャ
１１　　搬送タンク
１２　　定着ユニット
１００　原稿読取部
１０１　センサ
１０２　画像増幅回路
１０３　Ａ／Ｄ変換回路
１０４　シェーデング補正回路
１０５　画像処理回路
１０６　同期制御回路
１０７　読取制御回路
１０８　スキャナ駆動装置
３００　画像情報記憶部
３０１　画像メモリ部
３０２　システム制御装置
４００　操作部
５００　書込部
５０２　ＬＥＤ書込制御回路
５０４　駆動制御回路
５０５　プリンタ駆動装置
５１２　画像データ入力部
【図１】
2004017503.tif 000003
【図２】
2004017503.tif 000004
【図３】
2004017503.tif 000005
【図４】
2004017503.tif 000006
【図５】
2004017503.tif 000007
【図６】
2004017503.tif 000008
【図７】
2004017503.tif 000009
【図８】
2004017503.tif 000010